(57)【要約】【課題】患部を適切な肢位で固めるまで固定材を保持できる関節用装具を提供すること。【解決手段】関節用装具１は、芯材を有する固定材を収容する本体部２と、本体部２を患部に固定する第１の固定部３、４、５と、本体部２の患部に当接する部分を所定の角度に屈曲させて固定する第２の固定部６と、を備える。前記第２の固定部は、手の甲を前腕の外側面方向に引っ張って手首を固定する外側面固定部材を有する。【選択図】図１
2019010246.tif 000002
【特許請求の範囲】
【請求項１】
芯材を有する固定材を収容する本体部と、
前記本体部を患部に固定する第１の固定部と、
前記本体部の前記患部に当接する部分を所定の角度に屈曲させて固定する第２の固定部と、
を備える関節用装具。
【請求項２】
前記患部は、手首の関節、足首の関節または膝関節である請求項１に記載の関節用装具。
【請求項３】
前記第１の固定部は、前記本体部を前腕に固定する前腕固定部材と、前記本体部を掌に固定する掌固定部材と、を有する請求項２に記載の関節用装具。
【請求項４】
前記第２の固定部は、手の甲を前腕の外側面方向に引っ張って手首を固定する外側面固定部材を有する請求項２または３に記載の関節用装具。
【請求項５】
前記第２の固定部は、掌を前腕の内側面方向に引っ張って手首を固定する内側面固定部材をさらに有する請求項４に記載の関節用装具。
【発明の詳細な説明】
【技術分野】
【０００１】
本発明は、関節用装具に関し、特に、固定材を収容した本体部を用いて手首等の関節を固定する関節用装具に関する。
【背景技術】
【０００２】
従来から、整形外科領域の医療現場においては、患部を外固定する手段として医師が患者を整復し、外固定材により患部を固定する「ギプス処置」という処置が行われている。ギプス処置は、例えば、基材に水硬化性の樹脂が含浸された固定材を用いることが主流となっている。このギプス処置の手順は、一例として、まず患部の整復を行い、次に固定材を水で濡らし、含水させた固定材を患部に取り付けて、患部が適切な肢位になるように固定する、という順序で行われる。
【０００３】
このような処置に使用する固定材として、例えば、特許文献１には、整形外科的治療段階において四肢に適用する耐湿性の取外し可能なギプスであって、内側面と外側面を有するギプス本体と、前記本体に備わっていると共に、患者の皮膚から大気中へと外に湿気の移動を促す開放的な構造を有し、耐湿性で単層の３次元的なダブルニット生地で形成され、開いた位置と、前記四肢の治療領域に適用される前記ギプス本体の部分を覆う閉じた位置との間で移動可能なフラップ部であって、初期治療段階において患者の装着した副木を、前記ギプス本体と前記フラップ部との間で覆って保持するように適合させた前記フラップ部と、を含む、耐湿性の取外し可能なギプスが開示されている。
【０００４】
特許文献１に記載のギプスを使用することにより、患部の四肢と骨折管理器具との取り付けを向上させることができ、また、装着中にギプスに溜まった水分を効率的に管理することができるとされている。
【先行技術文献】
【特許文献】
【０００５】
【特許文献１】特表２０１４−５１８５２６号公報
【発明の概要】
【発明が解決しようとする課題】
【０００６】
しかしながら、このような水硬化性の樹脂による固定材では、水等に濡らしてから適度な強度を得るまで固まるのに、少なくとも10分程度は必要となる。この間は、取り付けが完了し患部の適切な肢位がとれたとしても、その肢位をくずさないように、医師がギプス処置の際に患者の固定肢位と固定材の形状を整える「モールディング」という行為を続ける必要がある。このように、医師がギプス処置を行うためには、一人の患者にかかる負担が大きくなってしまうなどの問題があった。
【０００７】
本発明は、このような状況に鑑みてなされたものであり、患部を適切な肢位で固めるまで固定材を保持できる関節用装具を提供することを目的とする。
【課題を解決するための手段】
【０００８】
上記課題を解決するため、本発明の一実施形態である関節用装具は、芯材を有する固定材を収容する本体部と、本体部を患部に固定する第１の固定部と、本体部の患部に当接する部分を所定の角度に屈曲させて固定する第２の固定部と、を備える。
【発明の効果】
【０００９】
本発明によれば、患部を適切な肢位で固めるまで固定材を保持できる関節用装具を提供することができる。
【図面の簡単な説明】
【００１０】
【図１】本発明の第１実施形態に係る関節用装具の開いた状態の外側面を示す模式図である。
【図２】本発明の第１実施形態に係る関節用装具の開いた状態の内側面を示す模式図である。
【図３】本発明の第１実施形態に係る関節用装具の装着状態を示す模式図である。
【図４】本発明の第１実施形態に係る採型前のキャストステーを示す平面模式図である。
【図５】本発明の第１実施形態に係る関節用装具の装着手順を示す模式図である。
【図６】本発明の第１実施形態に係る関節用装具の装着手順を示す模式図である。
【図７】本発明の第１実施形態に係る関節用装具の装着手順を示す模式図である。
【図８】本発明の第１実施形態に係る関節用装具の装着手順を示す模式図である。
【図９】本発明の第２実施形態に係る関節用装具の開いた状態の外側面を示す模式図である。
【図１０】本発明の第２実施形態に係る関節用装具の開いた状態の内側面を示す模式図である。
【図１１】本発明の第２実施形態に係る関節用装具の装着状態を示す模式図である。
【図１２】本発明の第２実施形態に係る関節用装具の装着手順を示す模式図である。
【図１３】本発明の第２実施形態に係る関節用装具の装着手順を示す模式図である。
【図１４】本発明の第２実施形態に係る関節用装具の装着手順を示す模式図である。
【図１５】本発明の第３実施形態に係る関節用装具の開いた状態の外側面を示す模式図である。
【図１６】本発明の第３実施形態に係る関節用装具の開いた状態の内側面を示す模式図である。
【図１７】本発明の第３実施形態に係る関節用装具の装着状態を示す模式図である。
【図１８】本発明の第３実施形態に係る関節用装具の装着手順を示す模式図である。
【図１９】本発明の第３実施形態に係る関節用装具の装着手順を示す模式図である。
【図２０】本発明の第３実施形態に係る関節用装具の装着手順を示す模式図である。
【発明を実施するための形態】
【００１１】
以下、本発明を実施するための好適な実施形態について図面を参照して説明する。なお、以下に説明する実施形態は、本発明の代表的な実施形態の一例を示したものであり、これにより本発明の範囲が狭く解釈されることはない。また、本発明は、下記の各実施例及びその変形例のいずれかを互いに組み合わせることもできる。
【００１２】
＜１．第１実施形態に係る関節用装具＞
図１から図８を用いて、本発明の第１実施形態に係る関節用装具について説明する。本実施形態に係る関節用装具は、手首の関節を固定する手首用装具である。
【００１３】
（１−１）関節用装具の構成例
まず、本実施形態に係る関節用装具の構成について説明する。図１は、本実施形態に係る関節用装具の開いた状態の外側面を示す模式図である。図２は、本実施形態に係る関節用装具の開いた状態の内側面を示す模式図である。図３は、本実施形態に係る関節用装具の装着状態を示す模式図である。図１に示すように、本実施形態に係る手首の関節用装具１は、本体部２と、第１の固定部と、第２の固定部と、を備えている。第１の固定部は、本体部２を掌に固定する掌固定部材である掌ベルト３と、本体部２を前腕に固定する前腕固定部材である固定ベルト４および固定ベルト５と、を有する。第２の固定部は、手の甲を前腕の外側面方向に引っ張って手首を固定する外側面固定部材である角度調整ベルト（モールディング用ベルト）６を有する。以下に、各部について詳細に説明する。
【００１４】
本体部２は、平面形状が略矩形で、装着時に掌に接する内側面と、その反対側の外側面と、を有している。本体部２の内側面と外側面との間は開閉可能であり、その間に、例えば固定材である水硬化性ステー（キャストステー）を収容するステー収容部７が形成されている。また、本体部２は、図１において、上部斜め右上方向に向かって掌ベルト３が形成され、右側面から略水平方向に向かって固定ベルト４および固定ベルト５が形成されている。
【００１５】
本体部２を構成する糸素材としては、天然繊維、化学繊維のいずれでもよく、例えば、ポリアミド系繊維、ポリエステル系繊維、アクリル系繊維、セルロース系繊維（綿、レーヨン、ポリノジック、リヨセル等）、ポリウレタン系繊維、ポリオレフィン系繊維（ポリエチレン，ポリプロピレン等）、アセテート系繊維、ポリ塩化ビニリデン系繊維、ポリ塩化ビニル系繊維、毛（羊毛、獣毛等）などを単独で用いた糸、又はこれら繊維を混用した糸を用いることができる。糸の種類としては、モノフィラメント、マルチフィラメント、撚糸、カバードヤーン、コアヤーン等が利用でき、伸縮加工や嵩高加工等を施したものを利用してもよい。
【００１６】
また、本体部２の編成としては、経編又は緯編の各種編組織が利用でき、例えば、ダブルラッセル生地、平編生地、ゴム編（リブ編）生地、パール編生地、タック編生地、丸編生地、横編生地、トリコット生地、ラッセル生地、パイル編生地、添え糸編生地等が利用できる。これらの中で、保持率を上記範囲内とすることができ、且つ、通気性を確保して装着感を向上させることができる生地が好ましく、ダブルラッセル生地とすることが好ましい。
【００１７】
ここで、ダブルラッセル生地は一本の糸から編目を作りながらループと呼ばれる輪をつなぎ合わせて作り、ループがもつ弾力性で伸長力に寄与することができ、このループから空気を透過させる事ができる。このため、ダブルラッセル生地を用いることにより、通気性を確保することができる。さらに、本体部２の外側面は、糸素材がループ状に起毛されて面ファスナを構成することができ、掌ベルト３、固定ベルト４および固定ベルト５を係着させることが可能となる。
【００１８】
掌ベルト３は、図１において、本体部２の上部右側から斜め右上方向に延在し、その先端に面ファスナ部８が形成されている。掌ベルト３は、本体部２を手に固定するために用いられる。
【００１９】
固定ベルト４は、図１において、本体部２の右側側辺上方から略水平方向に延在しており、その先端に面ファスナ部９が形成されている。同様に、固定ベルト５は、図１において、本体部２の右側側辺下方から水平方向に延在しており、その先端に面ファスナ部１０が形成されている。固定ベルト４および５は、本体部２を前腕に固定するために用いられる。さらに、固定ベルト４は、外側面に角度調整ベルト６を挟んで固定する固定部１１を有し、固定部１１の開閉方向先端には、面ファスナ部１２が形成されている。
【００２０】
角度調整ベルト６は、矩形の引張部１４を有し、引張部１４の長手方向の一端に二股に分かれた枝分かれ部１３が形成されている。図２に示すように、引張部１４の内側面には、面ファスナ部１５が形成されている。角度調整ベルト６は、図１において、枝分かれ部１３の２つの先端が掌ベルト３の外側面に取り付けられ、掌ベルト３の延在方向と交差する方向の右斜め下方向に引張部１４が延在している。角度調整ベルト６は、関節用装具１を上方から下方に向けて固定し、本体部２の患部に当接する部分を曲げたい所定の角度に屈曲させて固定するために用いられる。これにより、関節用装具１は、固定材の形状を任意の角度に曲げた状態に保つことができる。
【００２１】
本実施形態では、角度調整ベルト６が１本形成されているが、角度調整ベルトの本数はこれに限られない。特に、関節用装具１を手首に装着した際に、手首に対して角度調整ベルト６と対称な位置、すなわち掌側に他の角度調整ベルトを形成することにより、角度調整ベルト６で手の甲を前腕の外側面方向に引っ張って手首を固定するとともに、他の角度調整ベルトで掌を前腕の内側面方向に引っ張って手首を固定することができる。これにより、より強固に手首と関節用装具１を固定することができる。
【００２２】
なお、本実施形態では第１の固定部として、掌ベルトが１本形成され、固定ベルトが２本形成されているが、第１の固定部の本数はこれに限られない。また、本実施形態に係る関節用装具１では、面ファスナ部８、９および１０に、それぞれ面ファスナが設けられ、本体部２の外側面に糸素材がループ状に起毛されて、係着させる構造となっているが、係着させる構造はこれに限定されず、本体部２の外側面に面ファスナを設け、掌ベルト３、ならびに固定ベルト４および５の端部を糸素材がループ状に起毛された構成としてもよい。また、これらを係着させる構造は、面ファスナに限らず、公知の係着構造を採用することができ、例えばバックルやスナップボタンを用いてもよい。
【００２３】
図１において破線で示すように、本体部２の内側面と外側面との間のステー収容部７には、手首の形状に合わせて採型するキャストステーが収容される。本体部２に収容されるキャストステー、掌ベルト３、固定ベルト４および５、ならびに角度調整ベルト６で患部である手首の関節を所定の角度で固定し、保持することができる。
【００２４】
図４は、本実施形態に係る採型前のキャストステーを示す平面模式図である。キャストステー１６は、一例として、装着する手首に合わせたくぼみ形状が形成されている。キャストステー１６は、含水させた後に乾かして固めるものであり、強度を出すために、一例として、シート状の芯材１７を備えている。特に、芯材１７の厚みおよび材質によってキャストステー１６の強度を出している。芯材１７の素材は、例えば、プラスチック線維、ガラス繊維等の基布（基材）およびウレタン樹脂を用いることができる。これにより、ガラス繊維等の基布およびウレタン樹脂は共に安価であるため、キャストステー１６を低コストで製造することが可能となる。なお、基布は、強度を出すための部材であり、ウレタン樹脂は水硬化させるための部材である。
【００２５】
キャストステー１６は、芯材１７の基布にガラス繊維を採用しているため、芯材１７の厚みを薄くして患部の形にしやすくすることができるので、キャストステー１６の固定力を向上させることができる。また、キャストステー１６は、薄型化が達成できると装具の設計自由度を向上させることもできる。
【００２６】
また、芯材１７の材料は、織布、編布、不織布等を使用することができ、これらを単独又は任意に選択組合せて形成してもよい。さらに、芯材１７には、天然繊維、化学繊維等の繊維を使用することができ、この繊維には、例えば、綿、毛、レーヨン、ポリアミド繊維、ポリエステル繊維、アクリル繊維、ポリオレフィン繊維、ガラス繊維、カーボン繊維、その他の繊維がある。
【００２７】
（１−２）関節用装具の装着手順の一例
次に、本実施形態に係る関節用装具１の装着手順の一例について、図１から図８を参照しながら説明する。本実施形態では、着用者の右手首２０に装着する手順の一例について説明する。なお、本発明に係る関節用装具は、装着者の左右どちらの手首にも装着することができる。図５から図８は、本実施形態に係る関節用装具１の装着手順を示す模式図である。
【００２８】
始めに、関節用装具１に収納されるキャストステー１６の準備を行う。まず、図４に示すように、アルミパウチから採型前のキャストステー１６を取り出し、取り出したキャストステー１６を含水させる。そして、含水させたキャストステー１６の余分な水分を除去する。
【００２９】
次に、図５に示すように、余分な水分を除去したキャストステー１６を、本体部２の左側面方向から本体部２の外側面であるカバー部２１と内側面であるベース部２２との間のステー収容部７に収納し、例えば面ファスナ等でステー収容部７を閉じる。
【００３０】
関節用装具１にキャストステー１６を収納した後、関節用装具１を着用者の患部である右手首２０に装着する。具体的には、図６に示すように、関節用装具１の各ベルトを開いた状態にし、装着者の右手首２０全体を本体部２の内側面に乗せる。
【００３１】
次に、図７に示すように、固定ベルト４を右手首２０に巻き付け、面ファスナ部９を掌側まで回して本体部２の外側面に係着させる。同様に、固定ベルト５を右手首２０の固定ベルト４よりも下方の前腕側に、固定ベルト４と並列に巻き付け、面ファスナ部１０を掌側まで回して本体部２の外側面に係着させる。固定ベルト４および５を本体部２の外側面に係着させた後に、ベルト固定部１１および面ファスナ部１２を固定ベルト４の表面から取り外して開いておく。
【００３２】
その後、掌ベルト３を小指の付け根下方から人差し指と親指との間を通して掌および手の甲に巻き付け、面ファスナ部８を掌側まで回して本体部２の外側面に斜めに係着させる。
【００３３】
そして、図８に示すように、着用者の右手甲から右手首２０側を通って下方に垂れ下がった角度調整ベルト６の引張部１４を下方の矢印Ｄ１方向に引っ張り、右手首２０が背屈方向へ向けて所定の角度になったところで、角度調整ベルト６の面ファスナ部１５を固定ベルト４および５の外側面に係着する。
【００３４】
最後に、図３に示すように、右手の小指側から角度調整ベルト６の外側面の上方を通ってベルト固定部１１を交差させて、面ファスナ部１２を固定ベルト４の外側面に係着させる。このように、関節用装具１は、本体部２のステー収容部７にキャストステー１６を収容し、本体部２を曲げた形状でキャストステー１６を硬化させて使用することができる。
【００３５】
以上のように、本実施形態に係る関節用装具１は、含水させたキャストステー１６を右手首２０に取り付けた後、角度調整ベルト６で右手首２０に力を加えることにより、医師等の人の手によってモールディング行為を続けることなく、右手首２０を適切な肢位で固めるまでキャストステー１６を保持することができる。これにより、関節用装具１は、医師等が長時間キャストステー１６の形状を保つために右手首２０を押さえる行為であるモールディング行為の手離れを促進し、患部を固定する時間を短縮し、かつ省力化することができる。
【００３６】
＜２．第２実施形態に係る関節用装具＞
図９から図１４を用いて、本発明の第２実施形態に係る関節用装具について説明する。本実施形態に係る関節用装具は、足首の関節を固定する足首用装具である。図９は、本実施形態に係る関節用装具の開いた状態の外側面を示す模式図である。図１０は、本実施形態に係る関節用装具の開いた状態の内側面を示す模式図である。図１１は、本実施形態に係る関節用装具の装着状態を示す模式図である。図１２から図１４は、本実施形態に係る関節用装具の装着手順を示す模式図である。
【００３７】
（２−１）関節用装具の構成例
図９に示すように、本実施形態に係る足首の関節用装具３１は、本体部３２と、固定ベルト３３および固定ベルト３４と、足首ベルト３５および足首ベルト３６と、角度調整ベルト３７と、を備えている。以下に、各部について詳細に説明する。
【００３８】
本体部３２は、平面形状が略扇形形状で、装着時に脚および足首に接する内側面と、その反対側の外側面と、を有している。本体部３２の内側面と外側面との間は開閉可能であり、その間に、例えば固定材である水硬化性ステー（キャストステー）３８を収容するステー収容部３８Ｒおよび３８Ｌが形成されている。ステー収容部３８Ｒおよび３８Ｌは、本体部３２の上下方向の中心線に対して線対称の位置に形成されている。また、本体部３２は、上下方向の中心線の下方には、着用者のつま先を挿入する開口部３９が形成されている。
【００３９】
固定ベルト３３は、図９において、本体部３２の左側側辺上方に形成され、その先端の内側面に面ファスナ部４１が形成されている。同様に、固定ベルト３４は、図９において、本体部３２の左側側辺中央付近に形成され、その先端の内側面に面ファスナ部４２が形成されている。固定ベルト３３および３４は、本体部３２を脚に固定するために用いられる。
【００４０】
足首ベルト３５は、図９において、本体部３２の下部中央の開口部３９左側付近から延在しており、裏面に面ファスナ部４３が形成されている。同様に、足首ベルト３６は、図９において、本体部３２の下部中央の開口部３９右側付近から延在しており、裏面に面ファスナ部４４が形成されている。足首ベルト３５および３６は、本体部３２を足首に固定するために用いられる。また、足首ベルト３５および３６を足首上方側で固定することで、関節用装具３１を足の甲から上方に向けて固定し、本体部３２を曲げたい角度に保持するために用いられる。
【００４１】
角度調整ベルト３７は、本体部３２の開口部３９下方から延在しており、裏面に面ファスナ部４５が形成されている。角度調整ベルト３７は、関節用装具３１を踵から上方に向けて固定し、本体部３２を曲げたい角度に保持するために用いられる。これにより、関節用装具３１は、固定材の形状を任意の角度に曲げた状態に保つことができる。
【００４２】
（２−２）関節用装具の装着手順の一例
次に、本実施形態に係る関節用装具３１の装着手順の一例について、図９から図１４を参照しながら説明する。本実施形態では、着用者の左足首５０に装着する手順の一例について説明する。なお、本発明に係る関節用装具は、装着者の左右どちらの足首にも装着することができる。
【００４３】
始めに、関節用装具３１に収納される２つのキャストステー３８の準備を行う。まず、第１実施形態と同様に、アルミパウチから採型前のキャストステー３８を取り出し、取り出したキャストステー３８を含水させる。そして、含水させたキャストステー３８の余分な水分を除去する。
【００４４】
次に、図１２に示すように、余分な水分を除去した２つのキャストステー３８を、本体部３２の左右に形成されたステー収容部３８Ｒおよび３８Ｌに収納し、例えば面ファスナ等でステー収容部３８Ｒおよび３８Ｌを閉じる。
【００４５】
関節用装具３１にキャストステー３８を収納した後、関節用装具３１を着用者の患部である左足首５０に装着する。具体的には、図１２に示すように、関節用装具３１の各ベルトを開いた状態にし、装着者の左足のつま先を開口部３９に挿入し、左足首５０全体を本体部３２の内側面に密着させる。
【００４６】
次に、図１３に示すように、本体部３２で脚を覆い、固定ベルト３３および３４をふくらはぎ側から巻き付け、面ファスナ部４１および４２を本体部３２の外側面に係着させる。
【００４７】
次に、図１４に示すように、足首ベルト３５を親指の付け根付近から小指側のくるぶし方向に向かって足の甲に巻き付け、面ファスナ部４３を本体部３２の外側面に斜めに係着させる。その後、足首ベルト３６を小指の付け根付近から親指側のくるぶし方向に向かって足の甲に巻き付け、面ファスナ部４４を足首ベルト３５の上面および本体部３２の外側面に斜めに係着させる。
【００４８】
そして、図１４に示すように、角度調整ベルト３７を着用者の左足踵から左足首５０のアキレス腱側を通ってふくらはぎ方向の矢印Ｄ２方向に引っ張り、左足首５０が所定の角度になったところで、角度調整ベルト３７の面ファスナ部４５を本体部３２の外側面に係着する。
【００４９】
以上のように、本実施形態に係る関節用装具３１は、第１実施形態に係る関節用装具１と同様に、左足首５０を適切な肢位で固めるまでキャストステー３８を保持することができる。これにより、関節用装具３１は、医師等が長時間キャストステー３８の形状を保つために左足首５０を押さえる行為であるモールディング行為の手離れを促進し、患部を固定する時間を短縮し、かつ省力化することができる。
【００５０】
＜３．第３実施形態に係る関節用装具＞
図１５から図２０を用いて、本発明の第３実施形態に係る関節用装具について説明する。本実施形態に係る関節用装具は、膝の関節を固定する膝用装具である。図１５は、本実施形態に係る関節用装具の開いた状態の外側面を示す模式図である。図１６は、本実施形態に係る関節用装具の開いた状態の内側面を示す模式図である。図１７は、本実施形態に係る関節用装具の装着状態を示す模式図である。図１８から図２０は、本実施形態に係る関節用装具の装着手順を示す模式図である。
【００５１】
（３−１）関節用装具の構成例
図１５に示すように、本実施形態に係る膝の関節用装具６１は、上部本体部６２と、下部本体部６３と、膝裏部６４と、固定タブ６５から６８と、固定ベルト６９と、角度調整ベルト７０および角度調整ベルト７１と、を備えている。関節用装具６１は、上部本体部６２、下部本体部６３および膝裏部６４で本体部を形成している。以下に、各部について詳細に説明する。
【００５２】
本体部は、平面形状が略矩形形状で、装着時に脚および膝に接する内側面と、その反対側の外側面と、を有している。図１５において、本体部の左側側辺上方に上部本体部６２が形成され、その左側側辺下方に下部本体部６３が形成され、その中央付近に膝裏部６４が形成されている。図１５において、膝裏部６４の右側上方および下方には、例えば固定材である細長い板状の水硬化性ステー（キャストステー）７３Ｒを収容するステー収容部７２Ｒが形成されている。同様に、図１５において、膝裏部６４の左側上方および下方には、細長い板状のキャストステー７３Ｌを収容するステー収容部７２Ｌが形成されている。また、本体部には、図１５において、膝裏部６４の左側中央付近に固定ベルト６９を固定する環状の固定具７４と、膝裏部６４の上方中央付近に角度調整ベルト７０を固定する環状の固定具７５と、膝裏部６４の右斜め上方に角度調整ベルト７１を固定する環状の固定具７６と、が形成されている。
【００５３】
固定タブ６５から６８は、図１５において、本体部の右側側辺の上方から下方にかけて形成され、それぞれの内側面に面ファスナ部８１から８４が形成されている。固定タブ６５から６８は、本体部を膝および膝の周辺に固定するために用いられる。
【００５４】
固定ベルト６９は、図１５において、本体部の膝裏部６４の右側中央付近から延在しており、裏面に面ファスナ部８５が形成されている。固定ベルト６９は、本体部３２を膝に固定するために用いられる。
【００５５】
角度調整ベルト７０は、本体部の膝裏部６４の下方中央付近から延在しており、裏面に面ファスナ部８６が形成されている。角度調整ベルト７０は、関節用装具６１をふくらはぎ側から膝裏側を通って上方の太もも裏側に向けて固定し、本体部を膝関節の曲がる方向に所定の角度で保持するために用いられる。これにより、関節用装具６１は、固定材の形状を任意の角度に曲げた状態に保つことができる。
【００５６】
角度調整ベルト７１は、本体部の膝裏部６４の右斜め下方付近から延在しており、裏面に面ファスナ部８７が形成されている。角度調整ベルト７１は、関節用装具６１をすね側から膝側を通って上方の太もも側に向けて固定して、本体部を所定の角度で保持するために用いられる。これにより、関節用装具６１は、より強固に固定材を任意の角度で保持することができる。
【００５７】
（３−２）関節用装具の装着手順の一例
次に、本実施形態に係る関節用装具６１の装着手順の一例について、図１５から図２０を参照しながら説明する。本実施形態では、着用者の右膝９０に装着する手順の一例について説明する。なお、本発明に係る関節用装具は、装着者の左右どちらの膝にも装着することができる。
【００５８】
始めに、関節用装具６１に収納される２つのキャストステー７３Ｒおよび７３Ｌの準備を行う。まず、第１実施形態と同様に、アルミパウチから採型前のキャストステー７３Ｒおよび７３Ｌを取り出し、取り出したキャストステー７３Ｒおよび７３Ｌを含水させる。そして、含水させたキャストステー７３Ｒおよび７３Ｌの余分な水分を除去する。
【００５９】
次に、図１５に示すように、余分な水分を除去したキャストステー７３Ｒおよび７３Ｌの両端を、それぞれステー収容部７２Ｒおよび７２Ｌに収納する。
【００６０】
関節用装具６１にキャストステー７３Ｒおよび７３Ｌを収納した後、関節用装具６１を着用者の患部である右膝９０に装着する。具体的には、図１８に示すように、関節用装具３１の各ベルトを開いた状態にし、装着者の右膝９０の裏側を膝裏部６４に合せて右膝９０の裏側全体を本体部の内側面に密着させる。
【００６１】
次に、図１９に示すように、本体部で右膝９０とその周辺を覆い、固定タブ６５および６６の面ファスナ部８１および８２を上部本体部６２の外側面に係着させる。同様に、固定タブ６７および６８の面ファスナ部８３および８４を下部本体部６３の外側面に係着させる。
【００６２】
次に、図２０に示すように、固定ベルト６９を右膝９０の右側側面から膝裏部６４の上面を通って右膝９０の左側側面に向かって右膝９０の裏側に巻き付け、右膝９０側まで回した固定ベルト６９の先端を固定具７４のリング状の中に差し込んで折り返して面ファスナ部８５同士を係着させる。
【００６３】
そして、図２０に示すように、角度調整ベルト７０を着用者のふくらはぎ側から膝裏側を通って上方の太もも裏側方向の矢印Ｄ３方向に引っ張り、右膝９０が所定の角度になったところで、角度調整ベルト７０の先端を固定具７５のリング状の中に差し込んで折り返して面ファスナ部８６同士を係着させる。
【００６４】
その後、図２０に示すように、角度調整ベルト７１を着用者のすね側から膝側を通って上方の太もも側方向の矢印Ｄ４方向に引っ張り、右膝９０が上記所定の角度でさらに固定されるようにしたところで、角度調整ベルト７１の先端を固定具７６のリング状の中に差し込んで折り返して面ファスナ部８７同士を係着させる。
【００６５】
以上のように、本実施形態に係る関節用装具６１は、第１実施形態に係る関節用装具１と同様に、右膝９０を適切な肢位で固めるまでキャストステー７３Ｒおよび７３Ｌを保持することができる。これにより、関節用装具６１は、医師等が長時間キャストステー７３Ｒおよび７３Ｌの形状を保つために右膝９０を押さえる行為であるモールディング行為の手離れを促進し、患部を固定する時間を短縮し、かつ省力化することができる。
【符号の説明】
【００６６】
１、３１、６１  関節用装具
２、３２、６２、６３、６４  本体部
３  掌ベルト
４、５、３３、３４、６９  固定ベルト
６、３７、７０、７１  角度調整ベルト
７、３８Ｒ、３８Ｌ、７２Ｒ、７２Ｌ  ステー収容部
８、９、１０、１２、１５、４１、４２、４３、４４、４５、８１、８２、８３、８４、８５、８６、８７  面ファスナ部
１１  ベルト固定部
１３  枝分かれ部
１４  引張部
１６、７３Ｒ、７３Ｌ  固定材（キャストステー）
１７  芯材
２０  右手
２１  ベース部
２２  カバー部
３５、３６  甲ベルト
３９  開口部
５０  足
６５、６６、６７、６８  固定タブ
７４、７５、７６  固定具
９０  膝
【図１】
2019010246.tif 000003
【図２】
2019010246.tif 000004
【図３】
2019010246.tif 000005
【図４】
2019010246.tif 000006
【図５】
2019010246.tif 000007
【図６】
2019010246.tif 000008
【図７】
2019010246.tif 000009
【図８】
2019010246.tif 000010
【図９】
2019010246.tif 000011
【図１０】
2019010246.tif 000012
【図１１】
2019010246.tif 000013
【図１２】
2019010246.tif 000014
【図１３】
2019010246.tif 000015
【図１４】
2019010246.tif 000016
【図１５】
2019010246.tif 000017
【図１６】
2019010246.tif 000018
【図１７】
2019010246.tif 000019
【図１８】
2019010246.tif 000020
【図１９】
2019010246.tif 000021
【図２０】
2019010246.tif 000022